(57)【要約】【課題】ユーザの設定負担を軽減する。【解決手段】空調制御システム（1）は、就寝中に寝室（5）内の空調機（10）の設定温度Ｔを制御するものであり、設定温度Ｔの時間変化が異なる複数の運転モードを記憶する記憶部（36）と、記憶部（36）の運転モードの中から、各日の運転モードがユーザによって選択されて入力される入力部（37）と、入力部（37）に入力された運転モードを実行する空調制御部（47）とを備えている。【選択図】図３
2013007507.tif 000002
【特許請求の範囲】
【請求項１】
就寝中に寝室（5）内の空調機（10）の設定温度Ｔを制御する空調制御システムであって、
上記設定温度Ｔの時間変化が異なる複数の運転モードを記憶する記憶部（36）と、
上記記憶部（36）の運転モードの中から、各日の運転モードがユーザによって選択されて入力される入力部（37）と、
上記入力部（37）に入力された上記運転モードを実行する実行部（47）とを備えている
ことを特徴とする空調制御システム。
【請求項２】
請求項１において、
上記複数の運転モードは、互いに異なる起床予定時刻ｔａが設定され、上記各起床予定時刻ｔａ前に上記設定温度Ｔが上昇する
ことを特徴とする空調制御システム。
【請求項３】
請求項１において、
上記複数の運転モードは、起床予定時刻ｔａが設定され該起床予定時刻ｔａ前に上記設定温度Ｔが上昇する第１運転モードと、起床予定時刻ｔａが設定されない第２運転モードとを有している
ことを特徴とする空調制御システム。
【請求項４】
請求項１において、
上記入力部（37）では、上記記憶部（36）の運転モードの中から、平日用の運転モード及び休日用の運転モードが、ユーザによってそれぞれ一括に選択されて入力される
ことを特徴とする空調制御システム。
【発明の詳細な説明】
【技術分野】
【０００１】
本発明は、就寝中に寝室内を温度制御する空調制御システムに関し、特に、ユーザの設定負担の軽減に係るものである。
【背景技術】
【０００２】
従来より、就寝中に寝室内を温度制御する空調制御システムが知られている。例えば、特許文献１には、この種の空調制御システムが開示されている。この空調制御システムは、就寝するユーザの体動を検出する体動検出部と、体動検出部の検出値に基づいてユーザが入眠したか否かを判定する入眠判定部とを備えている。空調制御システムでは、入眠判定部において入眠と判定された後に、体動検出部の検出値に応じて設定温度を増減させることで、ユーザの睡眠を促す温度制御が行われる。
【先行技術文献】
【特許文献】
【０００３】
【特許文献１】特開２０１０−８５０７６号公報
【発明の概要】
【発明が解決しようとする課題】
【０００４】
ところで、平日と休日、仕事の遅番と早番等、ユーザの生活リズムがかわると、睡眠時間や起床時刻等が変化する。そのため、ユーザの睡眠を促す温度制御を精度よく行うためには、生活リズムの変化に対応して、設定温度の時間変化を変更する必要があった。
【０００５】
しかし、特許文献１の空調制御システムでは、就寝者の睡眠を促すための運転モードが１つしか設けられていない。そのため、生活リズムがかわる度に、ユーザはその運転モードの設定内容を変更して設定温度の時間変化を変更しなければならず、ユーザに手間を掛けることになっていた。
【０００６】
本発明は、かかる点に鑑みてなされたものであり、生活リズムの変化に対応して設定温度の時間変化を変更させるためのユーザの設定負担を軽減することを目的としている。
【課題を解決するための手段】
【０００７】
第１の発明は、就寝中に寝室（5）内の空調機（10）の設定温度Ｔを制御する空調制御システムを前提としている。そして、この空調制御システムは、設定温度Ｔの時間変化が異なる複数の運転モードを記憶する記憶部（36）と、記憶部（36）の運転モードの中から、各日の運転モードがユーザによって選択されて入力される入力部（37）と、入力部（37）に入力された上記運転モードを実行する実行部（47）とを備えているものである。
【０００８】
上記第１の発明では、設定温度Ｔの時間変化が異なる複数の運転モードが記憶部（36）に記憶され、その記憶部（36）の運転モードの中から、各日の運転モードがユーザによって選択されて入力部（37）に入力される。そのため、ユーザは、異なる運転モードを選択するだけで設定温度Ｔの時間変化を変更できる。また、ユーザは、複数日の運転モードをまとめて選択できる。
【０００９】
第２の発明は、上記第１の発明において、複数の運転モードは、互いに異なる起床予定時刻ｔａが設定され、各起床予定時刻ｔａ前に上記設定温度Ｔが上昇するものである。
【００１０】
上記第２の発明では、複数の運転モードに異なる起床予定時刻ｔａが設定されている。そのため、ユーザが起床予定時刻ｔａを変更したい場合は、ユーザによって、異なる運転モードが選択され、入力部（37）に入力される。そして、その運転モードが実行部（47）において実行されると、変更後の起床予定時刻ｔａに合わせて設定温度Ｔが上昇する。
【００１１】
第３の発明は、上記第１の発明において、複数の運転モードは、起床予定時刻ｔａが設定され該起床予定時刻ｔａ前に上記設定温度Ｔが上昇する第１運転モードと、起床予定時刻ｔａが設定されない第２運転モードとを有しているものである。
【００１２】
上記第３の発明では、運転モードとして、起床予定時刻ｔａが設定された第１運転モードと起床予定時刻ｔａが設定されない第２運転モードとが設定されている。第１運転モードが実行部（47）において実行されると、起床予定時刻ｔａ前の設定温度Ｔが上昇する。一方、第２運転モードが実行されると、第１運転モードのように設定温度Ｔが上昇することがない。よって、ユーザが起床前に設定温度Ｔを上昇させたい場合は、第１運転モードが設定され、設定温度Ｔを上昇させたくない場合は、第２運転モードが設定される。
【００１３】
第４の発明は、上記第１の発明において、入力部（37）では、記憶部（36）の運転モードの中から、平日用の運転モード及び休日用の運転モードが、ユーザによって、それぞれ一括に選択されて入力されるものである。
【００１４】
上記第４の発明では、ユーザが平日用の運転モードと休日用の運転モードをそれぞれ選択することで、平日に平日用の運転モードが一括に入力され、休日に休日用の運転モードが一括に入力される。そのため、ユーザは、入力部（37）において平日用の運転モードと休日用の運転モードを選択するだけで良く、各日の運転モードを個別に選択する必要がなくなる。
【発明の効果】
【００１５】
本発明によれば、設定温度Ｔの時間変化が異なる複数の運転モードを記憶部（36）に記憶し、その記憶部（36）の運転モードの中から、ユーザが各日の運転モードを選択して、入力部（37）に入力できるようにした。これにより、ユーザは、日々の生活リズムに応じて、異なる運転モードを選択するだけで設定温度Ｔの時間変化を変更できる。よって、設定温度Ｔの時間変化を変更するユーザの設定作業を従来よりも簡易にすることができる。また、ユーザは、入力部（37）において複数日の運転モードをまとめて選択して入力できる。そのため、ユーザは、例えば一ヶ月分の運転モードをまとめて入力すれば、従来のように生活リズムがかわる度に設定温度Ｔの時間変化を変更しなくて済む。このように、ユーザの設定負担を軽減できる。
【００１６】
また、第２の発明によれば、複数の運転モードに異なる起床予定時刻ｔａを設定するようにした。そのため、ユーザの起床予定時刻ｔａがかわっても、別の運転モードを設定して実行すれば、変更後の起床予定時刻ｔａに合わせて設定温度Ｔを上昇させることができる。従って、設定温度Ｔの上昇とともに、就寝するユーザの体温上昇が促進され、ユーザの目覚めを良くすることができる。
【００１７】
また、第３の発明によれば、運転モードとして、起床予定時刻ｔａが設定された第１運転モードと起床予定時刻ｔａが設定されない第２運転モードとを設定するようにした。第１運転モードを実行すると、起床予定時刻ｔａ前に設定温度Ｔが上昇するため、起床前の体温上昇が促進され、ユーザは心地よい目覚めを得ることができる。一方、第２運転モードを実行すると、設定温度Ｔが上昇しないため、睡眠を促す状態が継続され、快適な睡眠を得ることができる。従って、ユーザは、起床時刻に心地よく目覚めたい場合は第１運転モードを選択し、起床時刻を気にせずに快適に睡眠したい場合は第２運転モードを選択することができる。
【００１８】
また、第４の発明によれば、平日用の運転モード及び休日用の運転モードが、ユーザによってそれぞれ一括に選択されて入力部（37）に入力されるようにした。これにより、ユーザは平日の運転モード及び休日の運転モードを選択するだけで、各日の運転モードを設定できる。従って、ユーザは各日の運転モードを個別に選択しなくても良くなり、ユーザの設定負担を一層軽減できる。
【図面の簡単な説明】
【００１９】
【図１】図１は、本実施形態に係る空調制御システムの斜視図である。
【図２】図２は、本実施形態に係る本体ユニットの上面図である。
【図３】図３は、本実施形態に係る空調制御システムの構成を示すブロック図である。
【図４】図４は、本実施形態に係る空調制御システムの制御の説明図であり、（ａ）はＶ字型制御された基準値Ｔ１の変化を示し、（ｂ）はウルトラディアンリズム周期を示し、（ｃ）はウルトラディアンリズムに対応して増減制御された増減値Ｔ２の変化を示し、（ｄ）は空調機に送信される設定温度Ｔの変化を示している。
【図５】図５は、本実施形態に係る空調制御システムの制御動作を示すフローチャートである。
【発明を実施するための形態】
【００２０】
以下、本発明の実施形態を図面に基づいて詳細に説明する。尚、以下の実施形態は、本質的に好ましい例示であって、本発明、その適用物、或いはその用途の範囲を制限することを意図するものではない。
【００２１】
本発明の実施形態に係る空調制御システム（1）は、寝室（5）内に設置された空調機（10）の空調能力を制御するものである。
【００２２】
上記空調機（10）は、図１に示すように、例えば壁掛け式のエアコンで構成されている。空調機（10）は、冷媒が循環して冷凍サイクルを行う冷媒回路を備えており、熱交換器（図示省略）内の冷媒により冷却または加熱した空気を寝室（5）内へ供給する。つまり、空調機（10）は、冷房運転と暖房運転とを切り換えて行うように構成されている。
【００２３】
空調制御システム（1）は、感圧チューブ（20）と本体ユニット（30）とを備えている。
【００２４】
感圧チューブ（20）は、チューブ本体（21）と、該チューブ本体（21）よりもやや小径の連絡チューブ（22）とが連結されて構成されている。チューブ本体（21）は、一端が閉塞し他端が開口した細長のチューブであり、寝室（5）の寝具（6）に設置されている。連絡チューブ（22）は、両端が開口する細長のチューブであり、一端がチューブ本体（21）の開口部（23）に接続され、他端が本体ユニット（30）に差し込まれている。感圧チューブ（20）は、就寝者の体動によって、その内圧が変化するように構成されている。
【００２５】
本体ユニット（30）は、図２に示すように、ケーシング（31）、差込部（32）、受圧部（33）、設定部（35）及び制御部（40）を備えている。
【００２６】
ケーシング（31）は、扁平な箱状に形成され、例えば、寝具（6）の側方に載置されている。
【００２７】
差込部（32）は、ケーシング（31）の側面に設けられている。この差込部（32）には、ケーシング（31）を貫通する貫通孔が形成され、その貫通孔に連絡チューブ（22）の一端が差し込まれている。
【００２８】
受圧部（33）は、ケーシング（31）内の差込部（32）側に設けられ、差込部（32）に差し込まれた連絡チューブ（22）の一端に接続されている。受圧部（33）は、マイクロフォンや圧力センサ等によって構成されている。就寝者の体動によって感圧チューブ（20）の内圧が変化すると、受圧部（33）はこの内圧の変化を検知して電気信号に変換し、その電気信号を制御部（40）へ出力する。
【００２９】
設定部（35）は、ケーシング（31）の表面に設けられている。設定部（35）では、ユーザがパネル（35a）に表示された設定画面またはスイッチ（35b）を操作して、空調機（10）の運転状態が設定される。図３に示すように、設定部（35）は記憶部（36）と入力部（37）を備えている。
【００３０】
記憶部（36）には、設定温度Ｔの時間変化の異なる複数の運転モードが記憶される。本実施形態では、平日用の運転モード（以下、平日モードという）及び休日用の運転モード（以下、休日モードという）が記憶部（36）に記憶されている。平日モード及び休日モードは、設定温度ＴがＶ字型制御されると共にウルトラディアンリズムに対応して増減制御されるように設定されている。また、平日モード及び休日モードは、起床予定時刻ｔａが設定されている。休日モードの起床予定時刻ｔａ２は、平日モードの起床予定時刻ｔａ１よりも遅い時刻に設定されている。
【００３１】
入力部（37）は、ユーザによって、各日の運転モードが選択されて入力されるように構成されている。各日の運転モードは、記憶部（36）に記憶された複数の運転モードの中から選択される。本実施形態では、各平日に対して平日モードが一括に選択され、各休日に対して休日モードが一括に選択される。入力部（37）では、各日の運転開始時に、入力された運転モードを実行させる指令信号が制御部（40）へ出力される。
【００３２】
−制御部−
図２に示すように、制御部（40）は本体ユニット（30）に内蔵されている。この制御部（40）は、図３に示すように、信号処理部（41）と心拍数検出部（42）と判定部（43）と周期成分抽出部（46）と空調制御部（47）とを備えている。
【００３３】
信号処理部（41）は、受圧部（33）から出力された信号（以下、体動信号という。）を所定の周波数帯域の体動信号に変調して、心拍数検出部（42）及び判定部（43）へ出力するように構成されている。
【００３４】
心拍数検出部（42）は、信号処理部（41）から出力された体動信号から心拍数を導出するように構成されている。具体的に、心拍数検出部（42）は、体動信号から心拍数抽出フィルタにより心拍の周波数帯域の信号を実測値として抽出し、該実測値から１分間毎の心拍数の平均値（心拍数平均値）を導出する。そして、心拍数平均値から、寝返り等の粗動によるノイズの信号を除去したものを心拍数として導出する。
【００３５】
判定部（43）は、信号処理部（41）から出力された体動信号に基づいて、就寝者の在床判定及び入眠判定を行うように構成されている。判定部（43）は、在床判定部（44）と入眠判定部（45）とを備えている。
【００３６】
在床判定部（44）は、就寝者が寝具（6）に在床しているか、寝具（6）から離床しているかを判定するものである。この在床判定部（44）による判定は、信号処理部（41）から出力された体動信号と、予め設定された判定閾値（在床判定閾値）との大小比較によって行われる。具体的には、在床判定部（44）では、体動信号が在床判定閾値を下回る場合、就寝者から体動が生起していないとみなされるので、この場合には「離床」と判定される。一方、在床判定部（44）では、体動信号が所定時間以上継続して在床判定閾値を上回る場合、就寝者から体動が生起しているとみなされるので、この場合には「在床」と判定される。
【００３７】
入眠判定部（45）は、在床判定部（44）により「在床」と判定された後、体動信号に基づいて就寝者が入眠したか否かを判定するものである。この入眠判定部（45）による判定は、信号処理部（41）から出力された体動信号と、予め設定された判定閾値（睡眠判定閾値）との大小比較によって行われる。具体的には、入眠判定部（45）では、初めて体動信号が所定時間以上継続して睡眠判定閾値を下回る場合、在床中の就寝者から体動がさほど生起していないとみなされるので、この場合には「入眠」と判定される。また、入眠判定部（45）では、「入眠」と判定された後において、体動信号が所定時間以上継続して睡眠判定閾値を上回る場合、就寝者から体動が生起しているとみなされるので、「覚醒」と判定される。
【００３８】
周期成分抽出部（46）は、心拍数検出部（42）で導出された心拍数から、周期的に検出される信号をゼロ位相フィルタによってウルトラディアンリズムに対応した周期成分（以下、ウルトラディアンリズム周期という。）を抽出するものである。
【００３９】
空調制御部（47）は、入力部（37）から出力される指令信号に基づいて運転モードを実行して、空調機（10）へ信号送信する設定温度Ｔを導出するものであり、本発明に係る実行部を構成している。設定温度Ｔは、基準値Ｔ１に増減値Ｔ２を重畳して導出される。空調制御部（47）は、基本制御部（48）とリズム運転制御部（49）と演算部（50）とを備えている。
【００４０】
基本制御部（48）は、基準値Ｔ１を導出するものである。例えば、平日モード及び休日モードの場合、図４（ａ）に示すように、基準値Ｔ１は、「入眠」と判定されてから下限温度Ｔｂになるまでは低下し、下限温度Ｔｂまで低下した後は下限温度Ｔｂを維持し、起床予定時刻ｔａより所定時間前からは上昇して、起床予定時刻ｔａに目標温度Ｔａになる。このように、平日モード及び休日モードを実行すると、基準値Ｔ１はＶ字型制御される。
【００４１】
リズム運転制御部（49）は、ウルトラディアンリズム周期（図４（ｂ））に応じて、増減値Ｔ２（ベース温度Ｔbase＋Δｔ）を導出するものである。具体的に、リズム運転制御部（49）は、周期成分抽出部（46）により抽出されたウルトラディアンリズム周期の微分値を導出し、その微分値が極大となるときに増減値Ｔ２を増加させる一方、その微分値が極小となるときに増減値Ｔ２を減少させる。本実施形態では、図４（ｃ）に示すように、リズム運転制御部（49）は、ウルトラディアンリズム周期の正方向変化の勾配が最大となるときに、Δｔ＝１℃として増減値Ｔ２を１℃だけ増加させる。つまり、増減値Ｔ２がベース温度Ｔbaseよりも１℃だけ高くなる。一方、リズム運転制御部（49）は、ウルトラディアンリズム周期の微分値が極小となるときに、Δｔ＝０℃として増減値Ｔ２をベース温度Ｔbaseそのものにする。つまり、上記の微分値が極大となるときの増減値Ｔ２よりも１℃だけ低くなる。ここで、ベース温度Ｔbaseは、例えば下限温度Ｔｂに設定される。
【００４２】
演算部（50）は、空調機（10）へ信号送信する設定温度Ｔを導出するものである。設定温度Ｔは、図４（ｄ）に示すように、基本制御部（48）の基準値Ｔ１にリズム運転制御部（49）の増減値Ｔ２を重畳して導出される。
【００４３】
−空調機及び空調制御システムの動作−
先ず、空調機（10）を運転開始する前に、ユーザの操作によって、運転モードの設定と運転モードの実行日の設定が行われる。
【００４４】
運転モードの設定は、記憶部（36）で行われる。本実施形態では、運転モードとして、平日モードと休日モードが設定される。各運転モードを設定する時に、目標温度Ｔａや起床予定時刻ｔａ等のパラメータが入力される。
【００４５】
運転モードの実行日の設定は、入力部（37）で行われる。運転モードの実行日は、ユーザが各日の運転モードを記憶部（36）の運転モードの中から選択して入力することで、設定される。本実施形態では、各平日に対して平日モードが一括に設定され、各休日に対して休日モードが一括に設定される。
【００４６】
次に、就寝前にユーザが「冷房運転」又は「暖房運転」を選択し、空調機（10）の運転を開始することで、図５のフローチャートに基づく制御動作が行われる。
【００４７】
ステップＳＴ１では、入力部（37）から指令信号が出力される。出力された指令信号は、空調制御部（47）に入力される。空調制御部（47）では、入力された指令信号に基づいて、運転モードが実行される。
【００４８】
ステップＳＴ２では、感圧チューブ（20）及び受圧部（33）によって、寝具（6）上の就寝者の体動が検出される。検出された体動信号は、信号処理部（41）において所定の周波数帯域に変調され、心拍数検出部（42）及び判定部（43）に出力される。
【００４９】
さらに、心拍数検出部（42）では、体動信号から心拍数が導出され、周期成分抽出部（46）では、その心拍数からウルトラディアンリズム周期が抽出される。
【００５０】
ステップＳＴ３では、在床判定部（44）によって就寝者の在床／離床判定が行われる。「在床」と判定されるとステップＳＴ４へ移行する。
【００５１】
ステップＳＴ４では、入眠判定部（45）によって就寝者の入眠判定が行われる。「入眠」と判定されるとステップＳＴ５へ移行する。
【００５２】
ステップＳＴ５では、「入眠」と判定されると、空調制御部（47）の各部（48,49,50）において、基準値Ｔ１、増減値Ｔ２、設定温度Ｔの制御が開始される。
【００５３】
基本制御部（48）では、基準値Ｔ１がＶ字型制御され、基準値Ｔ１は図４（ａ）に示すように増減する。
【００５４】
リズム運転制御部（49）では、増減値Ｔ２がウルトラディアンリズム周期に対応して増減制御される。具体的には、周期成分抽出部（46）で抽出されるウルトラディアンリズム周期（図４（ｂ）参照）の微分値が導出され、その微分値が極大であるか極小であるかが検出される。リズム運転制御部（49）では、ウルトラディアンリズム周期の微分値の極大が検出されると（図４（ｂ）のＸｔ）、Δｔが１℃に設定される。これにより、図４（ｃ）に示すように、空調機（10）の増減値Ｔ２はベース温度Ｔbaseよりも１℃高い値に設定される。一方、ウルトラディアンリズム周期の微分値の極小が検出されると（図４（ｂ）のＹｔ）、Δｔが０℃に設定される。これにより、空調機（10）の増減値Ｔ２はベース温度Ｔbaseと同じとなる。よって、増減値Ｔ２は、ウルトラディアンリズム周期の微分値が極大となるときに増加し、その後微分値が極小となるときに減少し、それがウルトラディアンリズムの周期ごとに繰り返される。
【００５５】
演算部（50）では、基本制御部（48）の基準値Ｔ１にリズム運転制御部（49）の増減値Ｔ２が重畳されて、図４（ｄ）に示すように、設定温度Ｔが導出される。この設定温度Ｔは、空調機（10）へ信号出力される。そして、寝室（5）内の温度が設定温度Ｔに近づくように、空調機（10）の空調能力が制御される。このように、寝室（5）内の温度をＶ字型制御すると共にウルトラディアンリズム制御すると、就寝中のユーザの体温上昇及び体温低下が促進される。そのため、就寝中のユーザは、それほど身体に負担を掛けることなく、深い睡眠を得ることができる。
【００５６】
ステップＳＴ６では、空調制御部（47）により、起床予定時刻ｔａになったか否かが判定される。起床予定時刻ｔａになったと判定されると、ステップＳＴ７へ移行して、空調機（10）の運転は停止される。
【００５７】
本実施形態では、記憶部（36）に、運転モードとして平日モードと休日モードが記憶されている。そして、入力部（37）では、各平日に平日モードが設定され、各休日に休日モードが設定されている。そのため、平日の間は、入力部（37）から平日モードを実行させる指令信号が出力されて平日モードが実行され、休日になると、入力部（37）から休日モードを実行させる指令信号が出力されて休日モードが実行される。
【００５８】
また、平日モード及び休日モードが実行されると、基準値Ｔ１がＶ字型制御されるため、設定温度Ｔは起床予定時刻ｔａ前に上昇する。そのため、起床前の体温上昇が促進され、ユーザはそれほど身体に負担を掛けることなく、目を覚ますことができる。
【００５９】
−実施形態の効果−
本実施形態によれば、設定温度Ｔの時間変化が異なる複数の運転モードを記憶部（36）に記憶し、その記憶部（36）の運転モードの中から、ユーザが各日の運転モードを選択して、入力部（37）に入力できるようにした。これにより、ユーザは、日々の生活リズムに応じて、異なる運転モードを選択するだけで設定温度Ｔの時間変化を変更できる。よって、設定温度Ｔの時間変化を変更するユーザの設定作業を従来よりも簡易にすることができる。また、ユーザは、入力部（37）において複数日の運転モードをまとめて選択して入力できる。そのため、ユーザは、例えば一ヶ月分の運転モードをまとめて入力すれば、従来のように生活リズムがかわる度に設定温度Ｔの時間変化を変更しなくて済む。このように、ユーザの設定負担を軽減できる。
【００６０】
また、本実施形態によれば、入力部（37）において、各平日に対して平日モードが一括に選択され、各休日に対して休日モードが一括に選択されるようにした。これにより、ユーザは平日モードと休日モードを選択するだけで、全ての日に対して運転モードを設定することができ、ユーザの設定負担を一層軽減できる。
【００６１】
また、本実施形態によれば、平日モード及び休日モードに、異なる起床予定時刻ｔａを設定するようにした。そのため、平日であれば、平日の起床予定時刻ｔａ１に合わせて設定温度Ｔを上昇させ、休日であれば、平日の起床予定時刻ｔａ１よりも遅い休日の起床予定時刻ｔａ２に合わせて設定温度Ｔを上昇させることができる。従って、ユーザは、平日であれば平日の生活リズムに合わせて心地よく目覚めることができ、休日であれば休日の生活リズムに合わせて心地よく目覚めることができる。
【００６２】
《その他の実施形態》
上記実施形態については、以下のような構成としてもよい。
【００６３】
上記実施形態では、平日モード及び休日モードに、異なる起床予定時刻ｔａを設定するようにした。しかし、これに限らず、例えば、平日モードは起床予定時刻ｔａ１が設定され、休日モードは起床予定時刻ｔａが設定されないものとしても構わない。この平日モード及び休日モードは、それぞれ本発明の第１運転モード及び第２運転モードを構成している。この場合、平日モードを実行すると、起床予定時刻ｔａ１前に設定温度Ｔが上昇するため、起床前の体温上昇が促進され、ユーザは心地よい目覚めを得ることができる。一方、休日モードを実行すると、設定温度Ｔが上昇しないため、睡眠を促す状態が継続され、快適な睡眠を得ることができる。従って、ユーザは、起床時刻に心地よく目覚めたい場合は平日モードを選択し、起床時刻を気にせずに快適に睡眠したい場合は休日モードを選択することができる。
【００６４】
また、上記実施形態では、各平日に対して平日モードが一括に選択され、各休日に対して休日モードが一括に選択されて入力されるようにした。しかし、これに限らず、例えば、各日に対して運転モードが個別に選択されて入力されるようにしても構わない。また、各曜日に対して運転モードが一括に選択されて入力されるようにしても構わない。
【産業上の利用可能性】
【００６５】
以上説明したように、本発明は、就寝中に寝室内を温度制御する空調制御システムとして有用である。
【符号の説明】
【００６６】
1  空調制御システム
5  寝室
10  空調機
36  記憶部
37  入力部
47  実行部（空調制御部）
【図１】
2013007507.tif 000003
【図２】
2013007507.tif 000004
【図３】
2013007507.tif 000005
【図４】
2013007507.tif 000006
【図５】
2013007507.tif 000007